(57)【要約】【課題】本体ケースに着脱自在な貯水容器と、貯水容器内にタンク部とを備えた加湿装置において、貯水容器に水の入ったタンク部を装着した状態で貯水容器を運ぶ場合に、水が跳ねることを防止することができる加湿装置を提供することを目的とする。【解決手段】吸込口７と吹出口８を有する本体ケース１と、本体ケース１に着脱自在な貯水容器１１と、貯水容器１１に水を供給するタンク部３１と、水を保水する加湿フィルター１２とを備え、タンク部３１は、タンク部３１内の水を供給する弁機構３５を有し、本体ケース１と貯水容器１１には、弁機構３５を開閉させる開閉機構５３を備え、開閉機構５３は、貯水容器１１内にタンク部３１を備えた状態で貯水容器１１を本体ケース１に装着すると弁機構３５を開状態にすることを特徴とする。【選択図】図１０
2018138833.tif 000002
【特許請求の範囲】
【請求項１】
吸込口と吹出口を有する本体ケースと、
前記本体ケースに着脱自在な貯水容器と、
前記貯水容器に水を供給するタンク部と、
水を保水する加湿フィルターとを備え、
前記タンク部は、前記タンク部内の水を供給する弁機構を有し、
前記本体ケースと前記貯水容器には、前記弁機構を開閉させる開閉機構を備え、
前記開閉機構は、前記貯水容器内に前記タンク部を取付けた状態で前記貯水容器を前記本体ケースに装着すると前記弁機構を開状態にすることを特徴とする加湿装置。
【請求項２】
前記本体ケースは、前記本体ケースの開口部から内方へ延びた空間である貯水容器装着部を有し、
前記開閉機構は、前記貯水容器装着部に設けた移動自在なレバー部と、前記貯水容器に備えた移動自在なプッシュピンとを有し、
前記貯水容器装着部に前記貯水容器を挿入し前記貯水容器の外面が前記レバー部に接触すると、前記レバー部が移動し前記プッシュピンを移動させ前記弁機構を開状態にすることを特徴とする請求項１に記載の加湿装置。
【請求項３】
前記レバー部は、前記貯水容器装着部における最も内方に配置されたことを特徴とする請求項２に記載の加湿装置。
【請求項４】
前記レバー部は、
前記プッシュピンと接触する第１の平板部分と、
前記貯水容器の外面と接触する第２の平板部分と、
前記レバー部の回動軸である軸部分とを備え、
前記第１の平板部分の下端と前記第２の平板部分の上端とが連結し、
前記第１の平板部分と前記第２の平板部分とが連結した連結部の近傍に前記軸部分を設け、
前記軸部分は、前記連結部と平行に延び、前記貯水容器装着部に回動自在に支持され、
前記第１の平板部分の一方側面は前記プッシュピンと接触する面であり、
前記第２の平板部分の一方側面は前記貯水容器の外面と接触する面であり、
前記第１の平板部分の一方側面と、前記第２の平板部分の一方側面との角度が鋭角であり、
レバー部の軸部分が、貯水容器の上端より上方に配置されていることを特徴とする請求項２に記載の加湿装置。
【発明の詳細な説明】
【技術分野】
【０００１】
本発明は、本体ケースに着脱自在な貯水容器と、貯水容器内にタンク部とを備えた加湿装置に関するものである。
【背景技術】
【０００２】
従来の加湿装置においては、本体ケースに着脱自在な貯水容器と、貯水容器に水を供給するタンク部と、水を保水する加湿フィルターとを備えていた。タンク部は、タンク部内の水を供給する弁機構を有し、貯水容器には、弁機構を開閉させる開閉機構を備えていた。開閉機構は、貯水容器内にタンク部を装着すると弁機構を開状態にするものである。
【先行技術文献】
【特許文献】
【０００３】
【特許文献１】特開２００８−０２５８９８号公報
【発明の概要】
【発明が解決しようとする課題】
【０００４】
このような従来の加湿装置では、使用者はタンク部の水が無くなった場合には、給水作業を行う。給水作業は、本体ケースから貯水容器を引き出し、貯水容器からタンク部を外し、タンク部を洗面所等へ運び、タンク部に水を入れ、この水の入ったタンク部を洗面所等から本体ケースまで運び、貯水容器に装着し、貯水容器を本体ケースに入れる作業である。
【０００５】
また、給水作業と、貯水容器の清掃作業を同時に行う場合がある。この場合には、まず、本体ケースから貯水容器を引き出し、貯水容器とタンク部を洗面所等へ運び、貯水容器からタンク部を外し、貯水容器を清掃し、タンク部に水を入れる。次に、この水の入ったタンク部を貯水容器に装着し、貯水容器を洗面所等から本体ケースまで運び、貯水容器を本体ケースに入れる。このように、洗面所等で、水の入ったタンク部を貯水容器に装着すると、タンク部内の水が貯水容器へ供給される。この状態で、貯水容器を洗面所等から本体ケースまで運ぶと、タンク部から供給された貯水容器内の水が跳ねるという課題を有していた。
【０００６】
そこで本発明は、上記従来の課題を解決するものであり、貯水容器に水の入ったタンク部を装着した状態で、貯水容器を洗面所等から本体ケースまで運ぶ場合に、水が跳ねることを防止することができる加湿装置を提供することを目的とする。
【課題を解決するための手段】
【０００７】
そして、この目的を達成するために、本発明は、吸込口と吹出口を有する本体ケースと、前記本体ケースに着脱自在な貯水容器と、前記貯水容器に水を供給するタンク部と、水を保水する加湿フィルターとを備え、前記タンク部は、前記タンク部内の水を供給する弁機構を有し、前記本体ケースと前記貯水容器には、前記弁機構を開閉させる開閉機構を備え、前記開閉機構は、前記貯水容器内に前記タンク部を備えた状態で前記貯水容器を前記本体ケースに装着すると前記弁機構を開状態にすることを特徴とするものであり、これにより所期の目的を達成するものである。
【発明の効果】
【０００８】
本発明によれば、吸込口と吹出口を有する本体ケースと、前記本体ケースに着脱自在な貯水容器と、前記貯水容器に水を供給するタンク部と、水を保水する加湿フィルターとを備え、前記タンク部は、前記タンク部内の水を供給する弁機構を有し、前記本体ケースと前記貯水容器には、前記弁機構を開閉させる開閉機構を備え、前記開閉機構は、前記貯水容器内に前記タンク部を備えた状態で前記貯水容器を前記本体ケースに装着すると前記弁機構を開状態にすることを特徴とするものである。
【０００９】
以上の構成により、開閉機構は、貯水容器内にタンク部を備えた状態で貯水容器を本体ケースに装着すると弁機構を開状態にするので、貯水容器に水の入ったタンク部を装着した状態で貯水容器を運ぶ場合に、水が跳ねることを防止することができるという効果を奏する。
【図面の簡単な説明】
【００１０】
【図１】本発明の実施の形態１の加湿装置を示す斜視図
【図２】同加湿装置を示す断面図
【図３】同加湿装置のタンク部を示す分解図
【図４】同加湿装置のタンク部の蓋を示す斜視図
【図５】同加湿装置のタンク部の弁機構を示す図
【図６】同加湿装置のタンク部の弁機構を示す図
【図７】同加湿装置の貯水容器とタンク部を示す図
【図８】同加湿装置のレバー部を示す図
【図９】同加湿装置の貯水容器装着部を示す図
【図１０】同加湿装置の貯水容器とタンク部を示す図
【発明を実施するための形態】
【００１１】
以下、本発明の実施の形態について図面を参照しながら説明する。
【００１２】
（実施の形態１）
図１は、本発明の実施の形態１の加湿装置を示す斜視図である。図２は、本発明の実施の形態１の加湿装置を示す断面図である。図２は、本体ケースにおける右側から見た状態である。
【００１３】
図１、図２に示すように、加湿装置は、本体ケース１と、本体ケース１内に設けられた加湿部材２と、送風部３とを備えている。
【００１４】
本体ケース１は、縦長の箱形状であり、本体ケース１内は、水平に設けられた平板形状の仕切板部４によって、第１の空間部５と第２の空間部６とに仕切られている。第１の空間部５は、第２の空間部６の上方に配置されている。本体ケース１の外周面の前面側には吸込口７を備えている。本体ケース１の天面の背面側には吹出口８が備えられ、本体ケース１の天面の前面側には操作部９が備えられている。吸込口７と吹出口８は、本体ケース１外と第１の空間部５とを連通している。本体ケース１における第１の空間部５内には、吸込口７と吹出口８とを連通する風路１０を有している。
【００１５】
加湿部材２は、貯水容器１１と、加湿フィルター１２と、水供給部材１３とを備えている。
【００１６】
貯水容器１１は、上方が開口した椀形状であり、水を貯水することができる。貯水容器１１は、第２の空間部６内に設けられ、本体ケース１における前面側から着脱可能に装着されている。貯水容器１１を本体ケース１における前面側へ引き出すと、本体ケース１から貯水容器１１が外れる。
【００１７】
加湿フィルター１２は、平板形状であり、多くの繊維を備え、繊維と繊維の間に水を保水することができる。加湿フィルター１２は、第１の空間部５内に、吸込口７と加湿フィルター１２の平面部が対向するように設けられている。貯水容器１１内の水が、水供給部材１３によって加湿フィルター１２の上方から供給される。
【００１８】
水供給部材１３は、ポンプ部１４と、供給部１５と、トレイ部１６とを備えている。ポンプ部１４は、貯水容器１１内の水を加湿フィルター１２の上部に設けられた供給部１５へ供給し、供給部１５から供給部１５内の水が加湿フィルター１２へ滴下する。加湿フィルター１２で保水されない余剰水は、加湿フィルター１２に下部に設けられたトレイ部１６を介して貯水容器１１へ戻される。
【００１９】
ポンプ部１４は、ポンプ１７と、ポンプモータ１８と、第１の管１９と、第２の管２０と、連結ユニット２１とを備えている。
【００２０】
ポンプ１７は、一例として、ケーシング内で羽根車が回転することにより送水する遠心ポンプである。ポンプ１７は、貯水容器１１内に設けられ、第１の管１９の一方側の端部と接続されている。ポンプ１７は、ポンプモータ１８によって駆動すると、貯水容器１１内の水を吸い上げ、筒形状である第１の管１９へ水を送る。
【００２１】
ポンプモータ１８は、ポンプ１７と対向し、貯水容器１１の外側である第２の空間部６に設けられている。ポンプモータ１８の回転軸（図示せず）には、磁石（図示せず）が固定されている。ポンプ１７内には、磁石がインサート成形された羽根車が回転自在に設けられている。貯水容器１１が本体ケース１に装着された状態で、ポンプモータ１８の磁石の回転軸と、ポンプ１７内の羽根車（図示せず）の回転軸は、同軸上に配置されており、近接することにより、磁力により回転が同期することになる。ポンプモータ１８の磁石が回転することによって、ポンプ１７内の羽根車が回転し、ポンプ１７は貯水容器１１内の水を吸い上げ、第１の管１９へ水を送る。
【００２２】
連結ユニット２１は、第１の連結部２２と第２の連結部２３とを有している。第１の連結部２２と第２の連結部２３とは着脱自在な構成である。
【００２３】
第１の連結部２２は、第１の管１９の他端側の端部に接続されている。貯水容器１１を本体ケース１における前面側へ引き出すと、第１の連結部２２は第２の連結部２３から外れ、貯水容器１１とポンプ１７と第１の管１９と第１の連結部２２とが一体となって本体ケース１から外れる。
【００２４】
第２の連結部２３は、仕切板部４の下面に固定され、第２の管２０の一方側の端部と接続されている。連結ユニット２１である第１の連結部２２と第２の連結部２３は、第１の管１９と第２の管２０とを連通している。ポンプ１７によって、第１の管１９へ送られた水は、連結ユニット２１を介して、筒形状である第２の管２０へ送られる。第２の管２０の他方側の端部は、供給部１５に接続されている。第２の管２０は、仕切板部４における孔である第１の連通部４Ａを介して、第２の空間部６から第１の空間部５へ延びている。なお、第２の管２０の外面は、第１の連通部４Ａである孔に嵌っており、第２の管２０と第１の連通部４Ａとの間には実質的な隙間が無い状態である。
【００２５】
供給部１５は、加湿フィルター１２の上端部の上方に配置され、第２の管２０から送られた水を、加湿フィルター１２へ滴下する。
【００２６】
トレイ部１６は、加湿フィルター１２の下端部の下方に配置され、仕切板部４に固定されている。トレイ部１６は、仕切板部４における孔である第２の連通部４Ｂを介して、第１の空間部５から第２の空間部６へ延びている。加湿フィルター１２で保水されない余剰水は、トレイ部１６を介して貯水容器１１へ戻される。なお、トレイ部１６の外面は、第２の連通部４Ｂである孔に嵌っており、トレイ部１６と第２の連通部４Ｂとの間には実質的な隙間が無い状態である。
【００２７】
供給部１５と加湿フィルター１２とトレイ部１６とによって、第１の空間部５は、第１の前面空間部２４と第１の背面空間部２５の２つの空間に仕切られている。第１の前面空間部２４は、加湿フィルター１２より前面側の空間であり、第１の背面空間部２５は、加湿フィルター１２より背面側の空間である。
【００２８】
送風部３は、第１の背面空間部２５に固定されている。送風部３は、スクロール形状のケーシング２６と、ケーシング２６に固定されたモーター２７と、モーター２７によって回転する羽根２８とを備えている。ケーシング２６は、上面に吐出口２９を、前面側に給気口３０を備えている。ケーシングの給気口３０は、加湿フィルター１２と吸込口７とに対向している。
【００２９】
図２、３、４に示すように、貯水容器１１内には、タンク部３１を備えている。タンク部３１は、水を貯水するタンク３２と、タンク３２のタンク開口３３に設けた蓋３４と、タンク３２内の水を供給する弁機構３５とを備えている。
【００３０】
タンク３２は、横長箱形状で、貯水容器１１内にタンク部３１を装着した状態において、タンク３２の天面に取手３６を設け、タンク３２の下面にはタンク開口３３を備えている。
【００３１】
タンク開口３３は、中心軸方向が上下方向に延びた円筒形状で、タンク開口３３の外周には、螺旋状の突起からなるねじ部分３８を備えている。
【００３２】
蓋３４は、略円板状の蓋面部３９と、この蓋面部３９の外周端から蓋面部に対して垂直方向に略円筒形状の外周円筒部４０が延びている。外周円筒部４０の内周には螺旋状の突起からなるねじ部分（図示せず）を備えている。蓋３４のねじ部分とタンク開口３３のねじ部分３８とを摺動させることによりタンク開口３３に蓋３４が着脱可能となっている。蓋３４の蓋面部３９には、上下方向に開口した蓋開口４２と、蓋開口４２を開閉する弁機構３５を備えている。
【００３３】
弁機構３５は、蓋開口４２を塞ぐ弁部４３と、弁部４３を可動自在に支持する弁支持部４４と、蓋開口４２を囲い貯水容器１１側へ延びる円周壁４５とを備えている。
【００３４】
弁支持部４４は、蓋開口４２の周縁から中心方向へ延びた複数の桟４６と、複数の桟４６を連結するリング形状の連結部４７とを備えている。複数の桟４６は、桟４６ａと桟４６ｂである。
【００３５】
弁部４３は、軸部分４８と、開閉弁部分４９と、ばね５０と、ばね止め部分５１とを備えている。
【００３６】
軸部分４８は、略円柱形状で、一方側の端部にばね止め部分５１を備えている。軸部分４８の他方側端部にコイル状のばね５０を挿入し、ばね５０の上から突出した軸部分４８の他方側端部を弁支持部４４のリング形状の連結部４７に下から挿入し、軸部分４８が弁支持部４４から抜けないように、軸部分４８の他方側端部の先端の溝に、略円板形状のゴムである開閉弁部分４９を挿入固定すると、弁機構３５が形成される。
【００３７】
以上のタンク部３１の構成での貯水容器１１への水の供給動作について説明する。図５は、タンク部の弁機構が閉状態であり、図６は、タンク部の弁機構が開状態である。
【００３８】
図５に示すように、ばね５０によって、開閉弁部分４９が蓋開口４２の上端部に押し付けられ、タンク部の弁機構が閉状態である。この状態から、図６に示すように、ばね止め部分５１がばね５０を縮めながら上方へ移動すると、開閉弁部分４９も上昇する。これにより、蓋３４のタンク側（上側）の蓋開口４２から弁機構３５である開閉弁部分４９が離れ、蓋３４の蓋開口４２からタンク３２内に空気が入りながら、タンク３２内の水が貯水容器１１へ滴下する。ここで、蓋開口４２の周囲に配置された円周壁４５の下端まで貯水容器１１に水が溜まると、円周壁４５の下端からタンク３２内に空気が入ることが無くなるので、タンク３２内の水が貯水容器１１に流れ込まない。つまり、貯水容器１１の水が減ると、円周壁４５の下端まで水位が増え、この円周壁４５の下端で水位が一定に保たれる。
【００３９】
図７は、加湿装置の貯水容器とタンク部を示す図であり、本体ケースに貯水容器を装着する途中の状態である。
【００４０】
図７に示すように、本体ケース１と貯水容器１１には、弁機構３５を開閉させる開閉機構５３を備えている。開閉機構５３は、貯水容器１１内にタンク３２を取付けた状態で貯水容器１１を本体ケース１に装着すると弁機構３５を開状態にする。つまり、貯水容器１１内にタンク部３１を取付けただけでは、弁機構３５が開状態とならないので、貯水容器１１に水の入ったタンク部３１を装着した状態で、貯水容器１１を洗面所等から本体ケース１まで運ぶ場合に、水が跳ねることを防止することができる。
【００４１】
開閉機構５３は、レバー部５４と、プッシュピン５５とを有している。
【００４２】
図８は、加湿装置のレバー部を示す図であり、本体ケースに貯水容器を装着していない状態である。図９は、加湿装置の貯水容器装着部を示す図であり、本体ケースに貯水容器を装着していない状態である。図７、８、９に示すように、レバー部５４は、第１の平板部分５６と、第２の平板部分５７と、軸部分５８と、バネ部分５９とを備えている。レバー部５４は、回動自在に貯水容器装着部６０に設けられている。貯水容器装着部６０は、本体ケース１の開口部６１から内方へ延びた空間である。（図９参照）
図８に示すように、第１の平板部分５６と第２の平板部分５７とは、四角形状の略平板であり、第１の平板部分５６の下端と、第２の平板部分５７の上端とが連結し、第１の平板部分５６の一方側面と、第２の平板部分５７の一方側面との角度が鋭角である。なお、第１の平板部分５６の一方側面とは、後述するプッシュピン５５のレバー接触部分６８と接触する面であり、第２の平板部分５７の一方側面とは、貯水容器１１の外面と接触する面である。
【００４３】
軸部分５８は、第１の平板部分５６と第２の平板部分５７とが連結した連結部６２近傍に設けられている。軸部分５８は、連結部６２と平行に延びている。貯水容器装着部６０における本体ケース１の開口部６１に対向した内面である対向面６３の窪み７０に、軸部分５８が、水平になるように回動自在に支持されている。軸部分５８を回動中心として、第１の平板部分５６と第２の平板部分５７とが、上下方向に回動する。
【００４４】
バネ部分５９は、ねじりばねであり、軸部分５８に挿入されている。バネ部分５９の一方側端部が第１の平板部分５６に引っ掛かり、バネ部分５９の他方側端部が、貯水容器装着部６０の対向面６３の窪み７０に設けた固定部６４に当たり、第１の平板部分５６と第２の平板部分５７とを上方に押し上げている。バネ部分５９に押し上げられた第１の平板部分５６は、対向面６３の窪み７０から本体ケース１の開口部６１側へ突出した突起６５に当たり、第２の平板部分５７の下端部が対向面６３から離れた状態となる。
【００４５】
図７に示すように、プッシュピン５５は、第１の棒部分６６と、弁接触部分６７と、レバー接触部分６８と、軸部分６９とを備えている。プッシュピン５５は、貯水容器１１内に回動自在に設けられている。
【００４６】
第１の棒部分６６は、貯水容器装着部６０に貯水容器１１を着脱する方向に延びた棒形状である。第１の棒部分６６の一方側には、弁接触部分６７を有し、第１の棒部分６６の他方側には、レバー接触部分６８を備えている。弁接触部分６７は、第１の棒部分６６の一方側から上方へ延びた略円柱である。レバー接触部分６８は、第１の棒部分６６の他方側から上方へ延びた棒形状である。
【００４７】
軸部分６９は、第１の棒部分６６におけるレバー接触部分６８側寄りに配置されている。軸部分６９は、第１の棒部分６６に対して直角方向であり、第１の棒部分６６から水平に延びている。プッシュピン５５は、軸部分６９が水平になるように回動自在に貯水容器１１の底面に支持されている。軸部分６９を回動中心として、弁接触部分６７とレバー接触部分６８とが、上下方向に回動する。
【００４８】
なお、軸部分６９は、第１の棒部分６６におけるレバー接触部分６８側寄りに配置されているので、貯水容器装着部６０に貯水容器１１を装着していない状態では、弁接触部分６７側が重くなり、弁接触部分６７が下方に、レバー接触部分６８が上方に回動した状態となる。弁接触部分６７が下方に回動した状態では、貯水容器１１内にタンク部３１を装着しても、弁接触部分６７は弁機構３５のばね止め部分５１に当たらないので、タンク部３１から貯水容器１１内には、水が流れ込まない。これにより、貯水容器１１に水の入ったタンク部３１を装着した状態で、貯水容器１１を洗面所等から本体ケース１まで運ぶ場合に、水が跳ねることを防止することができる。
【００４９】
図１０は、加湿装置の貯水容器とタンク部を示す図であり、本体ケースに貯水容器を装着した状態である。
【００５０】
一方、貯水容器１１内のタンク部３１を装着した状態で、貯水容器１１を本体ケース１の開口部６１から貯水容器装着部６０に挿入すると、途中で貯水容器１１の外面がレバー部５４の第２の平板部分５７の一方側面と接触する。更に、貯水容器１１を貯水容器装着部６０に挿入すると、貯水容器１１によってレバー部５４の第２の平板部５７が、下方へ回動する。レバー部５４の第１の平板部分５６の一方側面と、第２の平板部分５７の一方側面との角度が鋭角であり、軸部分５８が、貯水容器１１の上端より上方に配置されているので、レバー部５４の第２の平板部５７が下方に回動すると、レバー部５４の第１の平板部５６も下方へ回動し、レバー部５４の第１の平板部５６の一方側面が、プッシュピン５５のレバー接触部分６８を押し下げる。レバー接触部分６８が下方に回動すると、弁接触部分６７が上方に回動した状態となり、弁接触部分６７は、弁機構３５のばね止め部分５１を押し上げるので、タンク部３１内の水が、タンク部３１内から貯水容器１１内に水が流れ込む。
【００５１】
このように、貯水容器１１内にタンク部３１を取付けただけでは、弁機構３５が開状態とならないので、貯水容器１１に水の入ったタンク部３１を装着した状態で、貯水容器１１を洗面所等から本体ケース１まで運ぶ場合に、水が跳ねることを防止することができる。
【００５２】
また、レバー部５４は、貯水容器装着部６０における最も内方に配置されている。具体的には、レバー部５４は、貯水容器装着部６０における開口部６１に対向した対向面６３の窪み７０に配置されている。これにより、貯水容器１１が、貯水容器装着部６０に挿入途中で、タンク部３１内から貯水容器１１内に水が流れ込まないので、挿入途中に水が跳ねることを防止することができる。
【産業上の利用可能性】
【００５３】
本発明にかかる加湿装置は、家庭用や事務所用などに使用される加湿装置等として有用である。
【符号の説明】
【００５４】
１    本体ケース
２    加湿部材
３    送風部
４    仕切板部
４Ａ    第１の連通部
４Ｂ    第２の連通部
５    第１の空間部
６    第２の空間部
７    吸込口
８    吹出口
９    操作部
１０    風路
１１    貯水容器
１２    加湿フィルター
１３    水供給部材
１４    ポンプ部
１５    供給部
１６    トレイ部
１７    ポンプ
１８    ポンプモータ
１９    第１の管
２０    第２の管
２１    連結ユニット
２２    第１の連結部
２３    第２の連結部
２４    第１の前面空間部
２５    第１の背面空間部
２６    ケーシング
２７    モーター
２８    羽根
２９    吐出口
３０    給気口
３１    タンク部
３２    タンク
３３    タンク開口
３４    蓋
３５    弁機構
３６    取手
３８    ねじ部分
３９    蓋面部
４０    外周円筒部
４２    蓋開口
４３    弁部
４４    弁支持部
４５    円周壁
４６    桟
４６ａ    桟
４６ｂ    桟
４７    連結部
４８    軸部分
４９    開閉弁部分
５０    ばね
５１    ばね止め部分
５３    開閉機構
５４    レバー部
５５    プッシュピン
５６    第１の平板部分
５７    第２の平板部分
５８    軸部分
５９    バネ部分
６０    貯水容器装着部
６１    開口部
６２    連結部
６３    対向面
６４    固定部
６５    突起
６６    第１の棒部分
６７    弁接触部分
６８    レバー接触部分
６９    軸部分
７０    窪み
【図１】
2018138833.tif 000003
【図２】
2018138833.tif 000004
【図３】
2018138833.tif 000005
【図４】
2018138833.tif 000006
【図５】
2018138833.tif 000007
【図６】
2018138833.tif 000008
【図７】
2018138833.tif 000009
【図８】
2018138833.tif 000010
【図９】
2018138833.tif 000011
【図１０】
2018138833.tif 000012